(57)【要約】【課題】特定の方向でそのデバイスに挿入されなければならない不都合を解決するカード判別システム、およびカード判別方法を提供すること。【解決手段】カードが、真正であるか否かを識別するためのカード判別システムであって、前記カードが、Ｎ個の感知マークの１つにそれぞれが対応するＮ個の絶対位置ベース・パルスを含む基準位置ベース・パルスを生成するための該位置ベース・パルス生成モジュールと、感知位置ベース・パルスを生成するための該少なくとも１つのセンサと、前記感知位置ベース・パルスが、前記Ｎ個の絶対位置ベース・パルスのいずれかと同一である場合、前記カードを真正であると識別し、前記感知位置ベース・パルスが、前記Ｎ個の絶対位置ベース・パルスのそれぞれと異なる場合、前記カードを偽であると識別するマイクロコントローラ・ユニットと、からなることを特徴とするシステム。【選択図】図８
2007293793.tif 000002
【特許請求の範囲】
【請求項１】
表面を有し、自然数であるＮ個の感知マークが前記表面上に形成されたカードが、真正であるか否かを識別するためのカード判別システムであって、
前記カードが、位置ベース・パルス生成モジュールを始動させ、該モジュールの中を通る間に、前記Ｎ個の感知マークの１つにそれぞれが対応するＮ個の絶対位置ベース・パルスを含む基準位置ベース・パルスを生成するための該位置ベース・パルス生成モジュールと、
前記カードの前記表面上の前記Ｎ個の感知マークの１つが、少なくとも１つのセンサの中を通る間に、感知位置ベース・パルスを生成するための該少なくとも１つのセンサと、
前記基準位置ベース・パルスおよび前記感知位置ベース・パルスを受け取るため、および前記感知位置ベース・パルスを、前記Ｎ個の絶対位置ベース・パルスのそれぞれと比較するために使用される、前記位置ベース・パルス生成モジュールおよび前記少なくとも１つのセンサにそれぞれ結合されたマイクロコントローラ・ユニットであって、
前記感知位置ベース・パルスが、前記Ｎ個の絶対位置ベース・パルスのいずれかと同一である場合、前記カードを真正であると識別し、前記感知位置ベース・パルスが、前記Ｎ個の絶対位置ベース・パルスのそれぞれと異なる場合、前記カードを偽であると識別するマイクロコントローラ・ユニットと、からなることを特徴とするシステム。
【請求項２】
前記カードの前記表面は、前記カードの表側または裏側であることを特徴とする請求項１に記載のシステム。
【請求項３】
前記カードが真正であるか否かに関する情報を表示するためのディスプレイ・モジュールをさらに含むことを特徴とする請求項１に記載のシステム。
【請求項４】
前記位置ベース・パルス生成モジュール、前記少なくとも１つのセンサ、前記マイクロコントローラ・ユニット、および前記ディスプレイ・モジュールに電源を供給するための電源供給装置をさらに含むことを特徴とする請求項３に記載のシステム。
【請求項５】
表面を有し、自然数であるＮ個の感知マークが前記表面上に形成されたカードが、真正であるか否かを識別するためのカード判別方法であって、
前記Ｎ個の感知マークの１つにそれぞれが対応するＮ個の絶対位置ベース・パルスを含む、前記カードに関連する基準位置ベース・パルスを生成するステップと、
前記カードの前記表面上の前記Ｎ個の感知マークの１つに関連する感知位置ベース・パルスを生成するステップと、
前記基準位置ベース・パルスおよび前記感知位置ベース・パルスを受け取り、前記感知位置ベース・パルスを、前記Ｎ個の絶対位置ベース・パルスのそれぞれと比較するステップと、
前記感知位置ベース・パルスが、前記Ｎ個の絶対位置ベース・パルスのいずれかと同一である場合、前記カードを真正であると識別するか、または前記感知位置ベース・パルスが、前記Ｎ個の絶対位置ベース・パルスのそれぞれと異なる場合、前記カードを偽であると識別するステップと、からなることを特徴とする方法。
【請求項６】
前記カードの前記表面は、前記カードの表側または裏側であることを特徴とする請求項５に記載の方法。
【請求項７】
前記カードが真正であるか否かに関する情報を表示するステップをさらに含むことを特徴とする請求項５に記載の方法。
【発明の詳細な説明】
【技術分野】
【０００１】
本発明は、カード判別システムおよび方法に関し、より詳細には、カード上の感知マークの位置に基づき、カードが真正であるか否かを識別することができるカード判別システムおよびカード判別方法に関する。
【背景技術】
【０００２】
ライセンス・カードの数が増えるにつれ、人々も、日常生活においてライセンス・カードをますます使用している。一般に、認証の目的で、ライセンス・カード上に形成された何らかのマークが常に存在する。人々は、通常、ライセンス・カード上のマークを人間の目で確認して、ライセンス・カードが真正であるか否かを即時に識別する。これは、不都合であり、誤りを犯す可能性が常に存在する。したがって、ライセンス・カードの識別が、電子デバイスによって自動的に実行されることが可能である場合、ライセンス・カードは、さらに多くの分野に適用されることが可能である。
【０００３】
現在、ライセンス・カード（例えば、ＩＣカード）を自動的に識別することができるいくつかのデバイスが存在するものの、ライセンス・カードは、特定の方向でそのデバイスに挿入されなければならない。つまり、ユーザが、ライセンス・カードを誤った方向でデバイスに挿入すると、ユーザは、ライセンス・カードが排出されるまで待たなければならず、その後、ライセンス・カードを正しい方向で再挿入し、したがって、ユーザに非常に不都合である。
【０００４】
したがって、本発明の範囲は、前述した問題を解決するカード判別システム、およびカード判別方法を提供することである。
【発明の開示】
【発明が解決しようとする課題】
【０００５】
本発明の目的は、少なくとも１つのセンサを利用して、カード上の感知マークの１つの少なくとも１つの位置ベース・パルスを感知し、それに応じてカードが真正であるか否かを識別するようにする、カード判別システム、およびカード判別方法を提供することである。
【０００６】
本発明の別の目的は、カードの表側、または裏側の各感知マークの位置に応じて、カード上の感知マークの１つにそれぞれが対応する複数のセンサを使用するカード判別システム、およびカード判別方法を提供することである。したがって、カードがいずれの方向で挿入されるかに関わらず、カード判別システムは、感知マークの少なくとも１つの位置ベース・パルスを常に感知して、カードが真正であるか否かを識別することができる。
【課題を解決するための手段】
【０００７】
好ましい実施形態によれば、本発明のカード判別システムは、カードが真正であるか否かを識別するために使用される。カードは、表面を有し、Ｎ個の感知マークが、カードの表面上に形成され、表面は、カードの表側であっても、裏側であってもよい。この実施例では、カード判別システムは、位置ベース・パルス生成モジュールと、センサと、マイクロコントローラ・ユニットとを含む。マイクロコントローラ・ユニットは、位置ベース・パルス生成モジュールおよびセンサにそれぞれ結合される。
【０００８】
前述した実施形態では、位置ベース・パルス生成モジュールは、カードが、位置ベース・パルス生成モジュールを始動させ、そのモジュールの中を通る間に、基準位置ベース・パルスを生成し、基準位置ベース・パルスは、Ｎ個の感知マークの１つにそれぞれが対応するＮ個の絶対位置ベース・パルスを含む。センサは、カードの表面（すなわち、表側または裏側）のＮ個の感知マークの１つが、センサの中を通る間に、対応する感知位置ベース・パルスを生成する。マイクロコントローラ・ユニットは、基準位置ベース・パルスおよび感知位置ベース・パルスを受け取るため、ならびに感知位置ベース・パルスを、Ｎ個の絶対位置ベース・パルスのそれぞれと比較するために使用され、感知位置ベース・パルスが、Ｎ個の絶対位置ベース・パルスの１つと同一である場合、マイクロコントローラ・ユニットは、そのカードを真正と識別する。つまり、感知位置ベース・パルスが、Ｎ個の絶対位置ベース・パルスのそれぞれと異なる場合、マイクロコントローラ・ユニットは、そのカードを偽と識別する。
【０００９】
前述した実施形態では、前記カードのそれぞれの面（すなわち、表側または裏側）の異なる位置に形成された複数の感知マークが存在する可能性があるため、カード判別システムは、カード上の感知マークの１つにそれぞれが対応する、複数のセンサをさらに使用することが可能である。したがって、カードが、いずれの方向で挿入されるかに関わらず、カード判別システムは、感知マークの少なくとも１つの位置ベース・パルスを常に感知して、カードが真正であるか否かを識別するようにすることができる。
【発明の効果】
【００１０】
したがって、本発明のカード判別システムは、少なくとも１つのセンサを利用して、カード上の対応する感知マークの位置ベース・パルスを感知する。さらに、カード上の感知マークの数、および各感知マークの位置に応じて、本発明は、カード上の感知マークの１つにそれぞれが対応する、複数のセンサを使用することができる。したがって、カードが、いずれの方向で挿入されるかに関わらず、カード判別システムは、感知マークの少なくとも１つの位置ベース・パルスを常に感知して、カードが真正であるか否かを識別するようにすることができる。
【発明を実施するための最良の形態】
【００１１】
本発明の利点および趣旨は、添付の図面と併せた以下の説明から理解することができる。
【００１２】
図１Ａおよび図１Ｂを参照すると、図１Ａは、カード１の表側１０を示す概略図である。図１Ｂは、カード１の裏側１２を示す概略図である。本発明のカード判別システムは、カードが真正であるか否かを識別するために使用される。カードは、表面を有し、Ｎ個の感知マークが、カードの表面上に形成される。図１Ａおよび図１Ｂに示されるとおり、カード１は、表側１０と裏側１２とを有し、２つの感知マーク１０ａおよび１０ｂが、表側１０に形成され、２つの感知マーク１２ａおよび１２ｂが、裏側１２に形成される。カード１は、識別カード（ＩＤカード）、運転免許証などであることが可能である。以下は、カード判別システムに適用される本発明の諸実施形態の説明である。この説明は、本発明の範囲を限定することは意図していない。
【００１３】
（第１の好ましい実施形態）
図２を参照すると、図２は、本発明の第１の好ましい実施形態によるカード判別システム２を示す機能ブロック図である。図２に示されるとおり、カード判別システム２は、位置ベース・パルス生成モジュール２０と、センサ２２ａと、マイクロコントローラ・ユニット２４とを含む。マイクロコントローラ・ユニット２４は、位置ベース・パルス生成モジュール２０およびセンサ２２ａにそれぞれ結合される。この実施形態では、カード判別システム２は、筐体（図示せず）内に設置され、センサ２２ａは、カード１の表側１０の感知マーク１０ａを感知するように構成される。
【００１４】
図３を参照すると、図３は、基準位置ベース・パルス２００を示す概略図である。前述した第１の実施形態では、ユーザが、カード１を、カード判別システム２を装備した筐体（図示せず）の中に挿入すると、カード１が、位置ベース・パルス生成モジュール２０を始動させ、モジュール２０の中を通って、位置ベース・パルス生成モジュール２０が、基準位置ベース・パルス２００を生成するようになる。基準位置ベース・パルス２００は、Ｎ個の感知マークの１つにそれぞれが対応するＮ個の絶対位置ベース・パルスを含む。図３に示されるとおり、基準位置ベース・パルス２００は、４つの感知マーク１０ａ、１０ｂ、１２ａ、および１２ｂの１つにそれぞれが対応する、４つの絶対位置ベース・パルス２００ａ、２００ｂ、２０２ａ、および２０２ｂを含む。
【００１５】
図４を参照すると、図４は、感知位置ベース・パルス２２０ａを示す概略図である。カード１の表側１０の感知マーク１０ａが、センサ２２ａの中を通ると、センサ２２ａは、図４に示されるとおり、感知位置ベース・パルス２２０ａを生成する。その後、マイクロコントローラ・ユニット２４が、基準位置ベース・パルス２００および感知位置ベース・パルス２２０ａを受け取り、次いで、感知位置ベース・パルス２２０ａを、絶対位置ベース・パルス２００ａ、２００ｂ、２０２ａ、および２０２ｂのそれぞれと比較する。感知位置ベース・パルス２２０ａが、絶対位置ベース・パルス２００ａ、２００ｂ、２０２ａ、および２０２ｂのいずれかと同一である場合、マイクロコントローラ・ユニット２４は、カード１を真正であると識別し、代替として、感知位置ベース・パルス２２０ａが、絶対位置ベース・パルス２００ａ、２００ｂ、２０２ａ、および２０２ｂのそれぞれと異なる場合、マイクロコントローラ・ユニット２４は、カード１を偽であると識別する。この実施形態では、センサ２２ａによって生成され、感知マーク１０ａに関連する感知位置ベース・パルス２２０ａは、基準位置ベース・パルス２００の絶対位置ベース・パルス２００ａと同一であり、したがって、マイクロコントローラ・ユニット２４は、カード１を真正であると識別する。
【００１６】
設計の実際的な応用に依存して、センサ２２ａは、表側１０の感知マーク１０ｂ、または裏側１２の感知マーク１２ａ、１２ｂを感知して、カード１の前述した識別を実現するようにするようにも構成されることが可能であることに留意されたい。
【００１７】
前述した第１の実施形態では、カード判別システム２は、カードが真正であるか否かに関する情報を表示するためのディスプレイ・モジュール２６をさらに含むことが可能である。カード判別システム２は、位置ベース・パルス生成モジュール２０、センサ２２ａ、マイクロコントローラ・ユニット２４、およびディスプレイ・モジュール２６に電源を供給するための電源供給装置（図示せず）をさらに含むことが可能である。
【００１８】
（第２の好ましい実施形態）
図１Ａ、図１Ｂ、および図５を参照すると、図５は、本発明の第２の好ましい実施形態によるカード判別システム３を示す機能ブロック図である。図５に示されるとおり、カード判別システム３は、位置ベース・パルス生成モジュール３０と、３つのセンサ３２ａ、３２ｂ、３２ｃと、マイクロコントローラ・ユニット３４とを含む。マイクロコントローラ・ユニット３４は、位置ベース・パルス生成モジュール３０、ならびにセンサ３２ａ、３２ｂ、および３２ｃにそれぞれ結合される。この実施形態では、カード判別システム３は、筐体（図示せず）内に設置される。センサ３２ａは、カード１の表側１０の感知マーク１０ａを感知するように構成され、センサ３２ｂは、カード１の表側１０の感知マーク１０ｂを感知するように構成され、センサ３２ｃは、カード１の裏側１２の感知マーク１２ａ、１２ｂを感知するように構成される。
【００１９】
図６を参照すると、図６は、基準位置ベース・パルス３００を示す概略図である。前述した第２の実施形態では、ユーザが、カード１を、カード判別システム３を装備した筐体（図示せず）の中に挿入すると、カード１が、位置ベース・パルス生成モジュール３０を始動させ、モジュール３０の中を通って、位置ベース・パルス生成モジュール３０が、基準位置ベース・パルス３００を生成するようになる。基準位置ベース・パルス３００は、Ｎ個の感知マークの１つにそれぞれが対応するＮ個の絶対位置ベース・パルスを含む。図６に示されるとおり、基準位置ベース・パルス３００は、４つの感知マーク１０ａ、１０ｂ、１２ａ、および１２ｂのいずれかにそれぞれが対応する、４つの絶対位置ベース・パルス３００ａ、３００ｂ、３０２ａ、および３０２ｂを含む。
【００２０】
図７Ａを参照すると、図７Ａは、感知位置ベース・パルス３２０ａおよび３２０ｂを示す概略図である。図７Ａに示されるとおり、カード１の表側１０の感知マーク１０ａが、センサ３２ａの中を通ると、センサ３２ａが、対応する感知位置ベース・パルス３２０ａを生成し、カード１の表側１０の感知マーク１０ｂが、センサ３２ｂの中を通ると、センサ３２ｂが、対応する感知位置ベース・パルス３２０ｂを生成する。その後、マイクロコントローラ・ユニット３４が、基準位置ベース・パルス３００および感知位置ベース・パルス３２０ａ、３２０ｂを受け取り、次いで、感知位置ベース・パルス３２０ａ、３２０ｂを、絶対位置ベース・パルス３００ａ、３００ｂ、３０２ａ、および３０２ｂのそれぞれと比較する。感知位置ベース・パルス３２０ａ、３２０ｂが、絶対位置ベース・パルス３００ａ、３００ｂ、３０２ａ、および３０２ｂのいずれかとそれぞれ同一である場合、マイクロコントローラ・ユニット３４は、カード１を真正であると識別し、代替として、感知位置ベース・パルス３２０ａ、３２０ｂのいずれかが、絶対位置ベース・パルス３００ａ、３００ｂ、３０２ａ、および３０２ｂのそれぞれと異なる場合、マイクロコントローラ・ユニット３４は、カード１を偽であると識別する。この実施形態では、センサ３２ａによって生成され、感知マーク１０ａに関連する感知位置ベース・パルス３２０ａは、基準位置ベース・パルス３００の絶対位置ベース・パルス３００ａと同一であり、センサ３２ｂによって生成され、感知マーク１０ｂに関連する感知位置ベース・パルス３２０ｂは、基準位置ベース・パルス３００の絶対位置ベース・パルス３００ｂと同一であり、したがって、マイクロコントローラ・ユニット３４は、カード１を真正であると識別する。
【００２１】
図７Ｂを参照すると、図７Ｂは、感知位置ベース・パルス３２２ａおよび３２２ｂを示す概略図である。他方、図７Ｂに示されるとおり、カード１の裏側１２の感知マーク１２ａが、センサ３２ｃの中を通ると、センサ３２ｃは、対応する感知位置ベース・パルス３２２ａを生成し、カード１の裏側１２の感知マーク１２ｂが、センサ３２ｃの中を通ると、センサ３２ｃは、対応する感知位置ベース・パルス３２２ｂを生成する。その後、マイクロコントローラ・ユニット３４が、基準位置ベース・パルス３００および感知位置ベース・パルス３２２ａ、３２２ｂを受け取り、次いで、感知位置ベース・パルス３２２ａ、３２２ｂを、絶対位置ベース・パルス３００ａ、３００ｂ、３０２ａ、および３０２ｂのそれぞれと比較する。感知位置ベース・パルス３２２ａ、３２２ｂが、絶対位置ベース・パルス３００ａ、３００ｂ、３０２ａ、３０２ｂのいずれかとそれぞれ同一である場合、マイクロコントローラ・ユニット３４は、カード１を真正であると識別し、代替として、感知位置ベース・パルス３２２ａ、３２２ｂのいずれかが、絶対位置ベース・パルス３００ａ、３００ｂ、３０２ａ、３０２ｂのそれぞれと異なる場合、マイクロコントローラ・ユニット３４は、カード１を偽であると識別する。この実施形態では、センサ３２ｃによって生成され、感知マーク１２ａに関連する感知位置ベース・パルス３２２ａは、基準位置ベース・パルス３００の絶対位置ベース・パルス３０２ａと同一であり、センサ３２ｃによって生成され、感知マーク１２ｂに関連する感知位置ベース・パルス３２２ｂは、基準位置ベース・パルス３００の絶対位置ベース・パルス３０２ｂと同一であり、したがって、マイクロコントローラ・ユニット３４は、カード１を真正であると識別する。
【００２２】
前述の説明によれば、カードが、カード判別システム３を装備した筐体（図示せず）の中に、いずれの方向で挿入されるかに関わらず、カード判別システム３は、センサ３２ａ、３２ｂ、または３２ｃによって感知マーク１０ａ、１０ｂ、１２ａ、または１２ｂの位置ベース・パルスを常に感知して、カードが真正であるか否かを識別するようにすることができる。
【００２３】
前述した第２の実施形態では、カード判別システム３は、カード１が真正であるか否かに関する情報を表示するためのディスプレイ・モジュール３６をさらに含むことが可能である。カード判別システム３は、位置ベース・パルス生成モジュール３０、センサ３２ａ、３２ｂ、３２ｃ、マイクロコントローラ・ユニット３４、およびディスプレイ・モジュール３６に電源を供給するための電源供給装置（図示せず）をさらに含むことが可能である。
【００２４】
図８を参照すると、図８は、本発明の好ましい実施形態によるカード判別方法を示す流れ図である。本発明の方法は、カードの真正性を識別するために使用される。カードは、表面（例えば、表側または上側）を有し、Ｎ個の感知マークが、カードの表面上に形成される。前述した第１の実施形態によれば、本発明の方法は、以下のステップを含む。開始時に、ステップＳ１００が実行されて、カードに関連する基準位置ベース・パルスが生成され、基準位置ベース・パルスは、Ｎ個の感知マークの１つにそれぞれが対応するＮ個の絶対位置ベース・パルスを含む。その後、ステップＳ１０２が実行されて、カードの表面上のＮ個の感知マークの１つに応じて、対応する感知位置ベース・パルスが生成される。次に、ステップＳ１０４が実行されて、基準位置ベース・パルスおよび感知位置ベース・パルスが受け取られ、感知位置ベース・パルスが、Ｎ個の絶対位置ベース・パルスのそれぞれと比較される。次に、ステップＳ１０６が実行されて、感知位置ベース・パルスが、Ｎ個の絶対位置ベース・パルスのいずれかと同一であるかどうかが判定される。判定が「はい」である場合、ステップＳ１０８に進み、そうではない場合、ステップＳ１１０に進む。ステップＳ１０８が実行されて、カードが真正であると識別された後、ステップＳ１１２に進む。ステップＳ１１０が実行されて、カードが偽であると識別された後、ステップＳ１１２に進む。最後に、ステップＳ１１２が実行されて、カードが真正であるか否かに関する情報が表示される。
【００２５】
先行技術と比べて、本発明のカード判別システム、およびカード判別方法は、少なくとも１つのセンサを利用して、カード上の対応する感知マークの位置ベース・パルスを感知する。さらに、カード上の感知マークの数、および各感知マークの位置に応じて、本発明は、カード上の感知マークの１つにそれぞれが対応する、複数のセンサを使用することができる。したがって、カードが、いずれの方向で挿入されるかに関わらず、カード判別システムは、感知マークの少なくとも１つの位置ベース・パルスを常に感知して、カードが真正であるか否かを識別するようにすることができる。
【００２６】
以上の実施例および説明で、本発明の特徴および趣旨が、十分に説明されよう。本発明の教示を留めながら、デバイスの多数の変更および改変を行うことができることが、当業者には容易に認められよう。したがって、以上の開示は、添付の特許請求の範囲の境界だけによって限定されるものと解釈されなければならない。
【図面の簡単な説明】
【００２７】
【図１Ａ】カードの表側を示す概略図である。
【図１Ｂ】カードの裏側を示す概略図である。
【図２】本発明の第１の好ましい実施形態によるカード判別システムを示す機能ブロック図である。
【図３】基準位置ベース・パルスを示す概略図である。
【図４】感知位置ベース・パルスを示す概略図である。
【図５】本発明の第２の好ましい実施形態によるカード判別システムを示す機能ブロック図である。
【図６】基準位置ベース・パルスを示す概略図である。
【図７Ａ】感知位置ベース・パルスを示す概略図である。
【図７Ｂ】感知位置ベース・パルスを示す概略図である。
【図８】本発明の好ましい実施形態によるカード判別方法を示す流れ図である。
【符号の説明】
【００２８】
２、３  カード判別システム
２０、３０  位置ベース・パルス生成モジュール
２２ａ、３２ａ、３２ｂ、３２ｃ  センサ
２４、３４  マイクロコントローラ・ユニット
２６、３６  ディスプレイ・モジュール
【図１Ａ】
2007293793.tif 000003
【図１Ｂ】
2007293793.tif 000004
【図２】
2007293793.tif 000005
【図３】
2007293793.tif 000006
【図４】
2007293793.tif 000007
【図５】
2007293793.tif 000008
【図６】
2007293793.tif 000009
【図７Ａ】
2007293793.tif 000010
【図７Ｂ】
2007293793.tif 000011
【図８】
2007293793.tif 000012